Podtech/llm-jp-corpus-v4-ja_patent huggingface dataset:
(57)【要約】【課題】従来の三輪自転車等は後輪の各々を独立に車体に装着してその何れかの車輪だけを駆動して走行させている。その為旋回の時、駆動輪が旋回の内側になった時旋回が困難となり、又直進の時も自由輪を引きずって走行するので、動力の損失が生じてペダルを漕ぐのが重くなる。これを解決するには直進時は左右の車輪を同時に駆動し、旋回の時は外側の車輪が開放されて自主回転する事が望まれる。【解決手段】  直進時には左右車輪を同時に駆動して、左旋回、右旋回のときは、内輪と外輪の回転差を自動的に調整すれば良い。それには駆動軸の両端と両車輪を一方向クラッチで接続して、車輪が駆動軸の回転を超える時は駆動軸から開放されて自主回転可能な構造にすれば目的が得られる。【選択図】図１
2009143515.tif 000002
【特許請求の範囲】
【請求項１】
車輌の駆動軸の両端を車輪のボスに貫通をし、ボスの各々に軸との間に一方向クラッチを設け、それを介して、進行方向に駆動軸を回転するときのみ車輪に回転を伝達する事を特徴とする走行装置
【発明の詳細な説明】
【技術分野】
【０００１】  本発明は軽車輌の三輪自転車等の走行を円滑に又、製作が簡単安価に出来ることに関するものである。
【背景技術】
【０００２】  従来の三輪自転車等は後輪の片輪のみを駆動しているので、旋回のとき、駆動車輪側に旋回が困難であり又車軸が一本の通し軸でないので各車輪を別々に保持する為、車体の構造が複雑となる。。又差動装置にての方法もあるが、これらは、製作費が高価である
【発明の開示】
【発明が解決しようとする課題】
【０００３】  本発明は従来の方法が持っている問題を解決して、差動装置採用に比して旋回性能では少々劣るが、車体構造が極めて簡単になりまた部品が安価で、充分実用に堪える安価な三輪車等の製作を実現するものである。
【課題を解決する為の手段】
【０００４】  例として三輪自転車についてのべると、走行中、直進時には左右輪は同調回転するが、仮に右折すると右車輪は減速、一方左車輪は旋回半径が右車輪より大きいので接地摩擦が働き増速回転しようとする、
【０００５】  その時左車輪が駆動軸の束縛から開放されて自由に回転可能であれば、車輪は増速回転する。その為には駆動軸と左車輪が進行方向にだけ作用する一方クラッチを相互間に設けていれば軸の回転を越えて車輪が抵抗なく自主増速回転してスムーズに右折できる。
【０００６】  左折の場合も同原理で駆動軸と右車輪間の一方クラッチが作用することに依り、左折が抵抗なく可能となる。但し旋回の内側の車輪が停止するほどの旋回は無理で、この点差動装置に劣る。
【発明の効果】
【０００７】  上述の如く、軸を駆動して進行して走行の際、ハンドルを右又は左に切ると、旋回の外側の車輪は旋回半径が内側の車輪より大である為増速しようとする。そこで一方向のクラッチが外れて、自由となり増速する。他方内側の車輪は一方向クラッチが噛み合ったまま軸で廻されて走行する事により右、左の旋回がスムーズに出来る。
【０００８】また一本の通し軸の両端に車輪を設け、その中間で動力伝達の歯車で駆動走行するので車体構造が簡単になり、、製作が容易となり製造コストを低減出来る。
【発明の実施する為の最良の形態】
【０００９】  以下本発明の実施の形態を図１〜図７に基いて説明する。
【００１０】１ａ，１ｂは車輪のボス３ａ、３ｂに支点ピン９ａ、９ｂにて取り付けられる一方向クラッチの爪、２ａ、２ｂは軸８に固定の歯車、１０はクラッチ爪を常にクラッチ歯車に圧接のバネで、軸８と車輪ボス３ａ、３ｂは一方向にのみ噛み合い、反対方向にはお互いに自由回転する。
【００１１】１１はバネの止めピン、４ａ，４ｂは車輪及びタイヤ、５ａ，５ｂはスナップリング、６ａ、６ｂは軸受け、７は動力伝達の歯車で、車輪４ａ、４ｂの駆動軸８に固着する、１３は動力伝達チェーン、１４はペダル、１５はペダルの動力をチェーンに伝達ギヤー、１６はハンドル、１７は前輪、
【００１２】  別方法にての一方向クラッチの例を述べる。２０はボス３ａに固着して内側に数個の傾斜を設けて成る一方向クラッチのハウジング、２１はコロで軸８と２０との間に位置して、軸が進行方向に回転する時は、コロ２１が楔となって軸とボスが固着し、反対方向には相互に自由回転する一方向クラッチを構成する
【００１３】以下上記構成の動作を説明する。ペダル１４を漕いで、車軸８が回転すると、左右の車輪４ａ、４ｂの爪１ａ，１ｂが軸８の歯車２ａ，２ｂに引っかかり車輪４ａ、４ｂが同時に回転して三輪車は直進する。
【００１４】今仮に前輪を左に切ったとすると、車輪４ａ、４ｂは旋回の中心を軸に円弧をえがき、外側の車輪４ｂは接地摩擦により、軸８の回転より増速しようとして、爪１ｂは歯車２ｂから外れて車輪４ｂは自動にて自主回転して増速する。
【００１５】右旋回の場合も同様に旋回の外側の車輪は開放されて自主増速して旋回の際発生する左右車輪の回転差を円滑に処理する。
【図面の簡単な説明】
【００１６】
【図１】本発明を実施の形態を示す図
【図２】図１の背面図
【図３】ラチェット式一方向クラッチの形態
【図４】図３のＡ−Ａ′の断面図
【図５】コロ楔式の一方向クラッチの形態
【図６】図５のＢ−Ｂ′の断面図
【図７】図５の側面図
【符号の説明】
【００１７】１ａ、１ｂ  車輪ボスの左右クラッチの爪
２ａ、２ｂ  推進軸の歯車
３ａ、３ｂ  車輪のボス
４ａ、４ｂ  車輪及びタイヤ
７          車輪駆動のギヤー
８          駆動軸
９          クラッチ爪の支点ピン
２０        楔式クラッチのハウジング
２１        楔式クラッチ２０のコロ
【図１】
2009143515.tif 000003
【図２】
2009143515.tif 000004
【図３】
2009143515.tif 000005
【図４】
2009143515.tif 000006
【図５】
2009143515.tif 000007
【図６】
2009143515.tif 000008
【図７】
2009143515.tif 000009
(57)【要約】【課題】床から出たアクセル及び上から下がってアクセルに付いているアクセルレバーなどが、障害とならずに敷く事が出来る自動車用フロアマット。【解決手段】アクセル及びアクセルレバーなどの突起物等が通るように、フロアマットに切れ目を入れる、その切れ目にアクセル及びアクセルレバーを通す事により敷く事が出来るようにした。【選択図】図１
2009143516.tif 000002
【特許請求の範囲】
【請求項１】
アクセル及びアクセルレバー等の突起物や障害物を通すように切れ目を入れた自動車用フロアマット。
【発明の詳細な説明】
【技術分野】
【０００１】  この発明は、アクセルが床から出るタイプの自動車に敷く事の出来るフロアマットに関するものである。
【背景技術】
【０００２】  従来のアクセルが床から出るタイプの自動車用フロアマットは、マットを敷くためにアクセル部分から先をカットしてある。
【発明の開示】
【発明が解決しようとする課題】
【０００３】  靴等に付着した泥等がカットした部分にも落ちて、自動車本体のカーペットが汚れてしまい汚れを防ぐフロアマットの役目を損ねていた。
本発明は、以上のような欠点をなくすためになされたものである。
【課題を解決するための手段】
【０００４】  アクセルが床から出るタイプはアクセルレバーが上から下がりアクセルに付いているのでアクセル及びアクセルレバーが通るようにフロアマットに切れ目を入れる、その切れ目にアクセルとアクセルレバーを通すことにより解決した。
本発明は、このような構成からなる、自動車用フロアマットである。
【発明の効果】
【０００５】  本発明はこのような構成なので、アクセル及びアクセルレバーが妨げにならずに敷く事が出来る。このため従来のカットされた部分にもマットで覆う事が出来、自動車本体のカーペットの汚れを防ぐ事が出来る。
【発明を実施するための最良の形態】
【０００６】  以下、本案の形態について説明する。
（イ）アクセルを通す切れ目を入れる。
（ロ）アクセルレバーを通す切れ目を入れる。
【図面の簡単な説明】
【０００７】
【図１】  本発明の平面図である。
【図２】  本発明を使用した斜視図である。
【符号の説明】
【０００８】  １  フロアマット              ２  アクセルレバーを通す切れ目
３  アクセルを通す切れ目      ４  アクセルレバー
５  アクセル
【図１】
2009143516.tif 000003
【図２】
2009143516.tif 000004
(57)【要約】【課題】回生機能を持たない鉄道用電力系統内では、き電区間内で車両により消費される電力の合計が回生される電力を下回った場合、架線電圧が上昇し変電設備の故障原因となる問題があった。【解決手段】自身の位置および消費電力を提供する装置を有する鉄道車両群と、前記、各鉄道車両からの位置および消費電力情報を取得し、それらの情報からき電区間内の受入れ可能電力を算出する機能を有し、算出した受入れ可能電力を各鉄道車両に提供する機能を有する地上設備とで構成されるシステムにより、各鉄道車両は、前記地上設備から提供される自身が所属するき電区間内の受入れ可能電力に基づいて回生電力を制御し架線電圧の上昇を抑制することができる。【選択図】図１
2009143266.tif 000002
【特許請求の範囲】
【請求項１】
鉄道車両用推進制御支援システムにおいて、自車の消費電力を含む車両運行状況および車両位置情報を送信する機能を有し、地上設備から送られてくる該自車の属するき電区間内の受入れ可能電力から回生電力制御を計画する機能を有する推進制御装置が配置された鉄道車両と、該鉄道車両から送られてくる情報を収集し、各該き電区間内の受入れ可能電力を推定する機能を有し、推定した前記き電区間内の受入れ可能電力を各前記鉄道車両に送信する機能を有する該地上設備とで構成し、架線過電圧から設備を保護する機能を有することを特徴とする鉄道車両用推進制御支援システム。
【発明の詳細な説明】
【技術分野】
【０００１】
本発明は、鉄道車両用推進制御支援システムに関する。
【背景技術】
【０００２】
従来、車両で検出した架線電圧に基づいて推進制御装置が回生電力を抑制することで、架線を過電圧から保護していた。（例えば、特許文献１参照。）。
【特許文献１】特開平８−２５１７０６
【発明の開示】
【発明が解決しようとする課題】
【０００３】
従来の架線電圧保護は、回生により架線電圧が上昇したことを検出した後に回生を抑制するため、検出時間の遅れや制御遅れにより規定の値より架線電圧が上昇することがあるという問題があった。
【課題を解決するための手段】
【０００４】
請求項１の発明によれば、鉄道車両用推進制御支援システムにおいて、自車の消費電力を含む車両運行状況および車両位置情報を送信する機能を有し、地上設備から送られてくる該自車の属するき電区間内の受入れ可能電力から回生電力制御を計画する機能を有する推進制御装置が配置された鉄道車両と、該鉄道車両から送られてくる情報を収集し、各該き電区間内の受入れ可能電力を推定する機能を有し、推定した前記き電区間内の受入れ可能電力を各前記鉄道車両に送信する機能を有する該地上設備とで構成し、架線過電圧から設備を保護する機能を有することを特徴とする。
【０００５】
すなわち、鉄道車両内に配置された推進制御装置は、車両が消費している情報を含む車両運行情報と車両位置情報を、き電区間内の受入れ可能電力を推定する機能を持つ地上設備に送信する。前記、き電区間内の受入れ可能電力を推定する機能を持つ地上設備は、各車両から送信される車両が消費している情報を含む車両運行情報と車両位置情報から各車両が属するき電区間内の受入れ可能電力を推定し、前記、鉄道車両に送信する。前記、鉄道車両内に配置された推進制御装置は、前記地上設備から送信される自車が属するき電区間内の受入れ可能電力情報と自車が回生する電力とから架線電圧の上昇量を予測することで事前に回生電力制御を計画出来るため、検出時間の遅れや制御遅れにより規定の値より架線電圧が上昇すること防ぐことが出来る。
【発明の効果】
【０００６】
本発明により、事前に回生電力制御を計画することで、架線電圧の過電圧を防ぐことができるので、非常に有用である。
【発明を実施するための最良の形態】
【０００７】
自車の消費電力を含む車両運行状況および車両位置情報を送信する機能を有し、地上設備から送られてくる自車の属するき電区間内の受入れ可能電力から回生電力制御を計画する機能を有する推進制御装置が配置された鉄道車両と、前記、鉄道車両から送られてくる情報を収集し、各き電区間内の受入れ可能電力を推定する機能を有し、前記、推定したき電区間内の受入れ可能電力を各鉄道車両に送信する機能を有する地上設備とで構成し、架線過電圧から設備を保護するシステムを実現する。
【実施例１】
【０００８】
図１は、本発明の１実施例を示すもので、以下図１に従って説明する。
【０００９】
自車の消費電力を含む車両運行状況および車両位置情報を送信する機能を有し、地上設備１から送られてくる自車の属するき電区間内の受入れ可能電力から回生電力制御を計画する機能を有する推進制御装置が配置された鉄道車両２と、前記、鉄道車両２から送られてくる情報を収集し、各き電区間内の受入れ可能電力を推定する機能を有し、前記、推定したき電区間内の受入れ可能電力を鉄道車両２に送信する機能を有する地上設備１とで構成し、架線３の電圧が過電圧になることを防止するシステムを実現する。
【産業上の利用可能性】
【００１０】
架線により電力供給を行う電気鉄道路線で利用することが出来る。
【図面の簡単な説明】
【００１１】
【図１】本発明の鉄道車両用推進制御支援システムを説明するための図である。
【符号の説明】
【００１２】
１      地上設備
２      鉄道車両
３      架線
【図１】
2009143266.tif 000003
(57)【要約】【課題】ダイエットをやる場合は、継続的な食事制限や運動をやる労苦が大きいがゆえに成果が出ないことが多いので、ほとんど労苦が伴わず、放っておいても一日中ダイエット効果が得られるダイエット方法を提供する。【解決手段】冷却することによってエネルギーの燃焼がされる褐色脂肪細胞の性質を利用し、安全性が高く熱伝導率が高い金属を細かい粒子に加工したものを、スプレーなどの方法で褐色脂肪細胞部分に塗布することによって、持続的な放熱と冷却を行い、エネルギーの燃焼を促進させるという、労苦の伴わないダイエットを提供する。【選択図】なし【特許請求の範囲】
【請求項１】
銀などの熱伝導率が高くて安全性が高い金属を、ナノサイズなどの、熱伝導効率が高く、ダイエット効果が得られやすく、使用感が良い大きさの粒子に加工し、それを、体の褐色脂肪細胞部分に塗布しやすいスプレー容器に入れる。
【発明の詳細な説明】
【技術分野】
【０００１】  この発明は、金属の高い熱伝導率を利用して褐色脂肪細胞を活性化するダイエット用品に関するものである。
【背景技術】
【０００２】  従来のダイエット方法は、過酷な食事制限や運動にもとづくものだった。
【発明の開示】
【発明が解決しようとする課題】
【０００３】  これは次のような欠陥があった。
（イ）食事制限によるダイエットは、苦痛が大きく、時間がかかり、極端な栄養制限によって体調に悪影響を及ぼすこともあった。
（ロ）運動によるダイエットは、生活の時間をとられ、筋肉が大きくなることもあった。
本製品は、これらの欠点を除くためになされたものである。
【課題を解決するための手段】
【０００４】  熱伝導率が高くて安全性が高い金属を細かい粒子に加工し、それを体の褐色脂肪細胞部分にスプレーすることによって、褐色脂肪細胞の働きを活性化させ、エネルギーの燃焼を促し、ダイエットを促進する。
本製品は、以上のような構成よりなるダイエット器具である。
【発明の効果】
【０００５】  体に塗布するだけでダイエット効果を得られるので、使用者が何もしなくても一日中ダイエット効果が持続する。苦痛がないので、いくらでもダイエットを継続することができる。
【発明を実施するための最良の形態】
【０００６】  以下、本発明を実施するための最良の形態について説明する。
銀などの熱伝導率が高くて安全性が高い金属を、ナノサイズなどの、熱伝導効率が高く、ダイエット効果が得られやすく、使用感が良い大きさの粒子に加工し、それを、体の褐色脂肪細胞部分に塗布しやすいスプレー容器に入れる。
本製品は、以上のような構成よりなるダイエットスプレーである。
(57)【要約】【課題】食器洗い用洗剤や調味料などの容器は、中身の補充・入れ替えの際にネジ式のキャップを一度取り外し、中身の補充・入れ替え後にまたキャップをするという手間があった。その手間を解消する為に、詰替え用全開蓋を取り付けたキャップ付容器を提供する。【解決手段】容器のキャップの上方に通常の上蓋１、下方に詰替え用全開蓋３を作る。通常使用時は上蓋１を開け出口２から中身を出して使用する。中身の補充・詰替え時には、詰替え用全開蓋３を開け、キャップを外すことなく簡単に中身の補充・詰め替えを出来るようにする。【選択図】図１
2009143623.tif 000002
【特許請求の範囲】
【請求項１】
一般家庭及び飲食店等で使用される液体や顆粒状の食器洗い用洗剤または調味料（醤油・ソース・酢・塩等）の容器において、容器のキャップを取り外さなくても簡単に中身を補充・入れ替えできるように、キャップの下段に詰替え用全開蓋を取り付ける。上段にはその容器固有の上蓋または出口を取り付ける。通常使用時は上段の上蓋を開け出口より中身を取り出し使用する。中身の補充・詰替えに際しては、下段の詰替え用全開蓋を開けて中身を補充または入れ替えを行う。つまりさまざまな用途の容器のキャップの下方に詰替え用全開蓋を設置し、中身の補充・入れ替えを容易に出来ようにする。
【発明の詳細な説明】
【技術分野】
【０００１】本発明は、食器洗い用洗剤や調味料などの容器の中身を簡単に補充・入れ替え出来るようにキャップの下方に詰替え用全開蓋を取り付け、キャップ全体を取り外さなくても容器の口を全開に出来るようにした物である。
【背景技術】
【０００２】従来の容器は中身の補充・入れ替えに際し、ネジ式のキャップを一度取り外さなければ容器の口が全開にならず、キャップを取り外すことなく容器の口を全開にできる物はなかった。
【発明の開示】
【発明が解決しようとする課題】
【０００３】従来の物は容器の中身の補充・入れ替えに際して、ネジ式キャップを一度完全に外して容器の口を全開にしなければならなかった。飲食店などでは多数の容器があり、中身の消費も激しいため、補充や入れ替えの度にすべての容器のキャップを外し、補充・入れ替え後はまたキャップを付けなければならないという難点があった。本発明は、この課題を解決するためになされたものである。
【課題を解決するための手段】
【０００４】容器のキャップの下方にワンタッチで開くような詰替え用全開蓋３を取り付ける。それにより、従来の詰め替え作業に伴うキャップの取り外し、また取り付けといった作業を省略出来るようにした。また詰替え用全開蓋３の上部に出口２を取り付け、通常の中身の取り出しはそこから行うようにした。また出口２の蓋となる上蓋１と詰替え用全開蓋３との誤使用を防ぐため、上蓋１と詰替え用全開蓋３は対角の方向に開くようにした。
【発明の効果】
【０００５】詰替え用全開蓋３を利用することにより、容器からキャップを取り外す、または取り付けるという手間が無くなり、中身の補充・入れ替えの作業を詰替え用全開蓋３のワンタッチの開け閉めだけで出来るようにした。飲食店等で多数の容器がある場合にも作業の効率化が見込まれる。
【実施例１】
【０００６】通常利用時は上蓋１を開け出口２より中身の取り出しを行う。中身の補充・入れ替えの際は、詰替え用全開蓋３を開け容器の口を全開にして中身を補充・入れ替えする。
【図面の簡単な説明】
【０００７】
【図１】本発明の上蓋１を開けた側面図である。
【図２】本発明の詰替え用全開蓋３を開けた側面図である。
【図３】本発明の上蓋１を開けた上面図である。
【図４】本発明の詰替え用全開蓋３を開けた上面図である。
【符号の説明】
【０００８】１  上蓋
２  出口
３  詰替え用全開蓋
４  容器
【図１】
2009143623.tif 000003
【図２】
2009143623.tif 000004
【図３】
2009143623.tif 000005
【図４】
2009143623.tif 000006
(57)【要約】【課題】  固層化ＣＤ３抗体活性化リンパ球療法は癌患者に対して有効な治療方法の一つであるが、クリーンベンチなどの大型設備、および培養技術が必要なことから、限られたところでのみ行うことができ、広範に実施することが難しい状況であった。一方、高齢化社会の中で悪性腫瘍に罹患する患者の割合は増え、患者のＱＯＬ維持の観点からこの治療法を広く行える環境作りが急務である。【解決手段】  既存のＶａｃｕｔａｉｎｅｒ  ＣＰＴ、および本発明の培養バックを用いることによって、簡便かつ安全にリンパ球培養が行えると考えられる。【特許請求の範囲】
【請求項１】
固層化ＣＤ３抗体活性化リンパ球を簡便に大量培養し継代する方法
【請求項２】
培養バックにＣＤ３抗体を固層化させる方法
【請求項３】
培養バッグにクリッピング処理を行い、培養時に内容量を１回調節することのできる培養バッグクリップおよび方法
【請求項４】
リンパ球を培養したバックでそのまま遠心分離を行い上清吸引後、生理食塩水を注入して点滴バックに用いる方法
【発明の詳細な説明】
【技術分野】
【０００１】  本発明は固層化ＣＤ３抗体刺激活性化リンパ球を簡便に大量培養し継代する方法、および培養バックに関する。
【背景技術】
【０００２】    悪性脳腫瘍に対して、手術、放射線、化学療法を組み合わせた集学的治療が行われているが、今なお十分な治療効果が得られておらず、膠芽腫の５年生存率は１０％に満たない。また、肝癌においては治癒切除後に累積再発率が約８０％にも達し、これを抑制する方法が必要であった。この状況から、悪性腫瘍の再発防止を目的として、固層化ＣＤ３抗体陽性リンパ球によって免疫力を高める療法が用いられた。その結果、生存率や再発率を改善することが可能となった。しかし、この療法にはリンパ球を培養するための設備が必要であり、簡便な方法ではなかった。一方、高齢化社会の中で悪性腫瘍に罹患する患者の割合は増え、患者のＱＯＬ維持の観点からこの治療法を広く行うことができる環境作りが急務である。【０００３】
【非特許文献】Ｂｉｏｔｈｅｒａｐｙ第１６巻  第１号  ２００２年１月
【発明の開示】
【発明が解決しようとする課題】
【０００４】  固層化ＣＤ３抗体活性化リンパ球療法は癌患者に対して有効な治療方法の一つであるが、クリーンベンチなどの大型設備、および培養技術が必要なことから、限られたところでしか行えず、広範に行えるようにすることが必要であった。
【課題を解決するための手段】
【０００５】  第一の発明は固層化ＣＤ３抗体活性化リンパ球を簡便かつ安全に大量培養し、継代する方法である。今回発明したバックを既存のＶａｃｕｔａｉｎｅｒ  ＣＰＴと組み合わせることによって、従来必要であったクリーンベンチおよび煩雑な培養を簡略化し、コンタミネーションなどのリスクを軽減することができる。また、この方法の実現に伴い既存の培養バックに加工をおこなった。これが第二の発明である。効率的に培養を行うために細胞の密度を高くする必要があることから、３５０ｍｌ培養バック中の１００ｍｌ分を隔離できるようにクリッピング処理を行い、最初の１００ｍｌ分に抗体を反応させ、血液より分離された単核球層を高濃度で培養することが可能になる。１週間後にクリップをはずすことにより、培養時に内容量を１回調節することのできる形態に改良した。これは培養初期においてある程度の細胞密度を保つこと、および相対的に少ない体積で培養を行うことによって必要なＣＤ３抗体の量を節約できる効果がある。今回、培養バックにＣＤ３抗体を固相化する方法として、新たに０．３Ｍリン酸水素二ナトリウム溶液を溶媒とすることにより、バッグ表面に付着させることができた。これによって従来、培養フラスコ底面に付着させていた固層化ＣＤ３抗体と同様の効果が得られる。そして、リンパ球を培養したバックでそのまま遠心分離を行い、上清吸引後に生理食塩水を注入してそのまま点滴バックとして用いることができるため、外気に触れることなく培養から点滴の処置が行える。ゆえに簡便かつ安全にリンパ球の大量培養が行えると考えられる。
【発明の効果】
【０００６】  今までは、固層化ＣＤ３抗体活性化リンパ球培養に関して末梢血採取後にクリーンベンチなど培養に関わる大掛かりな設備、および培養技術が必要であったが、本システムによって当該培養バック、および培養液などの試薬のみで完結し、簡便かつ安全にリンパ球培養が行える。
【産業上の利用可能性】
【０００７】  現在、有効であるにもかかわらず設備の整った一部の施設でのみ行うことができる固層化ＣＤ３抗体活性化リンパ球療が、クリーンベンチなどの設備を用いず、培養バックの加工のみで行えることから、廉価なコストでシステムを完結でき、産業上大いに利用できると考えられる。【０００８】
【表１】
2009055894.tif 000002
【０００９】  ［表１］における培養は摂氏３７度、二酸化炭素５％のインキュベーターにて行った。また、継代作業にはトリプシンを用いた。この結果より、大量に培養が必要な活性化リンパ球療法において、通常の方法と比べ簡便かつ安全、および大量に培養できることが示唆された。
【発明の実施するための最良の形態】
【００１０】  コンタミネーションのリスクが減ることにより、各医院で医師が培養を行う場合においても、簡便に大きなクリーンベンチなどの無菌装置が必要なく培養可能になる。
(57)【要約】【課題】  室内に置いておく時に、不衛生だったハエタタキを衛生的に保つ。【解決手段】  ハエタタキに、袋状になっているプラスチックのカバーをつける。【選択図】図２
2009055891.tif 000002
【特許請求の範囲】
【請求項１】
既成のハエタタキに、袋状になっているプラスチックのカバーをつけることにより、衛生面を向上させる。袋状にし、また、差込み式にすることで、容易に、ハエをたたく部分をさわらずに取り付け、取り外しができ、置いておく時にも、衛生的である。
【発明の詳細な説明】
【発明の詳細な説明】
【技術分野】
【０００１】  本発明は、既成のハエタタキに取り付けることにより、衛生面を向上させたものである。
【背景技術】
【０００２】  既成のハエタタキには、カバーがついておらず、ハエをたたく部分がむき出しになっていたので、室内においておくときに不衛生だった。
【発明を実施するための最良の形態】
【０００３】  ハエをたたく部分に、袋状になっているプラスチック製のカバーをつける。
【発明の効果】
【０００４】  このようにすれば、ハエをたたく部分がおおえるので、従来より、衛生的になる。
【図面の簡単な説明】
【図１】  差込口からみた図である。
【図２】  上からみた図である。
【図１】
2009055891.tif 000003
【図２】
2009055891.tif 000004
(57)【要約】【課題】  こんにゃくを主体とした新しい加工食品の開発を行い、低カロリー食品の利用範囲の拡大を図る。【解決手段】  こんにゃくにココナッツミルクを添加する。【特許請求の範囲】
【請求項１】
こんにゃく粉に湯を加えてゼリー状とし、これにココナッツミルクを加えて均一な混和物とし、該混和物に水酸化カルシウムを温水に溶解したアルカリ液を加えて全体を凝固整型し、必要に応じ適宜に切り分け、加熱して残余のアルカリ分を除去することを特徴とする食材。
【請求項２】
請求項１記載の食材の製造過程において、調味料若しくは調味機能を有する成分（キノコ類及び／又は海藻類及び／又は食肉類の粉末若しくはエキス等）を添加することを特徴とする食材。
【請求項３】
請求項１又は請求項２記載の食材に他の食材を組み合わせて成る食材。
【発明の詳細な説明】
【技術分野】
【０００１】本発明は、植物原料による低カロリー食品、特に一般の嗜好にマッチした新しい食感を与える低カロリー食品の開発に関するものである。
【背景技術】
【０００２】近年、肥満の問題が大きな社会現象となるにつれ、低カロリー食品の開発に関心が集まりつつある。本発明者は、このような趨勢に対し、食肉に代わる、しかも食肉に匹敵する食感を持つ低カロリー食品ないしはその製造方法を開発（特許文献１、２）し、工業化して相当の普及を見ている。しかし、低カロリー食品の更なる普及のためには、食肉にこだわらぬ新しい食材の開発を進めることが重要である。
【特許文献１】特許第３４９８０８７号
【特許文献２】特許第３７２１３５１号
【発明の開示】
【発明が解決しようとする課題】
【０００３】本発明においては、「コンニャク」を主体とした新しい食感を有する低カロリー加工食品を開発する。
【課題を解決するための手段】
【０００４】（１）こんにゃく粉に湯を加えてゼリー状とし、これにココナッツミルクを加えて均一な混和物とし、該混和物に水酸化カルシウムを温水に溶解したアルカリ液を加えて全体を凝固整型し、必要に応じ適宜に切り分け、加熱して残余のアルカリ分を除去することを特徴とする食材。
（２）（１）記載の食材の製造過程において、調味料若しくは調味機能を有する成分（キノコ及び／又は海藻類及び／又は食肉類の粉末若しくはエキス等）を添加することを特徴とする食材。
（３）（１）又は（２）記載の食材に他の食材を組み合わせて成る食材。
【発明の効果】
【０００５】本発明により、こんにゃくを基材とする、一般の嗜好に適した新しい食感（例えばイカ肉に類似したもの）をもつ低カロリー食材が提供される。
【発明を実施するための最良の形態】
【０００６】第１の実施形態：第１の実施形態は、（１）に述べたように、特許第３４９８０８７号及び特許第３７２１３５１号におけると同様、こんにゃく粉に湯を加えてゼリー状とし、これにココナッツミルクを加えて均一な混和物とし、該混和物に水酸化カルシウムを温水に溶解したアルカリ液を加えて全体を凝固整型し、必要に応じ適宜に切り分け、加熱して残余のアルカリ分を除去して得られる食材である。ココナッツミルクを添加することにより、該食材は舌ざわりが滑らかになり、色も白色を呈するためイカ刺身に似たものとなって一般の嗜好に受け入れられやすい。ココナッツミルクの添加量は目的に応じて定められるが、おおむね全体の２０〜５０％程度である。【０００７】第２の実施形態：第２の実施形態は、第１の実施形態の加工食品の製造過程において、調味料若しくは調味機能を有する成分を添加して、目的に応じた更なる味覚の向上を図るものである。調味料としては化学調味料のほか通常「だし」として使用されるものを用い、調味機能を有する成分としては、例えばキノコ、海藻類又は食肉類の粉末若しくはエキスを用いることが出来る。なお、調味機能を有する成分はこれらの例示に限定されるものではない。【０００８】第３の実施形態：第３の実施形態は、第１の実施形態若しくは第２の実施形態の加工食品と他の食材とを組み合わせた加工食品である。既に特許第３４９８０８７号及び特許第３７２１３５１号に基づく加工食品は、カロリーの低減を目的として食肉と組み合わされ、ソーセージ、ハンバーグ等の形態で販売されているが、本発明にかかる加工食品も同様に使用できる。更に、新しい食感を生かして、魚肉等の広い範囲の食材との組み合わせにより、新しい加工食品への発展が期待される。
【産業上の利用可能性】
【０００９】本発明により、更に広い市場性を有する低カロリー加工食品の提供が可能となり、肥満等の社会問題の解消への貢献が期待される。
(57)【要約】【課題】本発明は、土壌の保全・水遣りの容易な平面緑化技術の提案にある。【解決手段】本発明は、壁面に懸架するための懸架具を有する壁面緑化用のプランターであって、プランター部は壁面側に平行に2分され、壁面側には土壌・保水材が充填された保水部とされ、他方は土壌を充填し植物を育成する育成部とされ、保水部と育成部との境界部には透孔が設けられ、保水部には導水配管がなされたたこと壁面緑化用プランターである。土壌の保全のため保水部は隔離され、水遣りのため導水配管を通した。【選択図】図１
2009055794.tif 000002
【特許請求の範囲】
【請求項１】
壁面に懸架するための懸架具を有する壁面緑化用プランターであって、プランター部は壁面側に平行に2分され、壁面側には土壌・保水材が充填された保水部とされ、他方は土壌を充填し植物を育成する育成部とされ、保水部と育成部との隔壁には透孔が設けられ、保水部には導水配管がなされたたことを特徴とする壁面緑化用プランター。
【発明の詳細な説明】
【技術分野】
【０００１】
本発明は、壁面を緑化する技術に属する。
【背景技術】
【０００２】
壁面を緑化した壁面緑化物は、フェンスに絡ませたつた類、図２に示したように、特許公開2002-327440、特許公開2002-330631に開示されたように植物を根付かせた人工の緑化盤を壁に垂直に懸架したもの、垂直に懸架した繊維マットに植物を育成させあるいは植物の茎や枝を格子に結束したもの、あるいは棚に並べた植木箱等がある。あるいは多孔質の壁にこけ、シダ類を育成したものが知られている。
【０００３】
これら壁面緑化物は、特に垂直に懸架した繊維マットや多孔質の壁では、植生が生育するに充分な土壌が供給できないため、また土壌の保全が困難なため利用できる植物が制限される等の問題点がある。
【０００４】
【特許文献１】特許公開2002-327440
【特許文献２】特許公開2002-330631
【発明の開示】
【発明が解決しようとする課題】
【０００５】
本発明は、土壌の保全・水遣りの容易な平面緑化技術の提案にある。
【課題を解決するための手段】
【０００６】
本発明は、壁面に懸架するための懸架具を有する壁面緑化用プランターであって、プランター部は壁面側に平行に2分され、壁面側には土壌・保水材が充填された保水部とされ、他方は土壌を充填し植物を育成する育成部とされ、保水部と育成部との隔壁には透孔が設けられ、保水部には導水配管がなされたたこと壁面緑化用プランターである。土壌の保全のため保水部は隔離され、水遣りのため導水配管を通した。
【発明の効果】
【０００７】
本発明は、壁面緑化用プランターを２分し、そのひとつを土壌・保水材を充填したため土壌の保全が容易となり、且つ導水配管を通すことで水遣りが容易となった。
【発明を実施するための最良の形態】
【０００８】
以下本発明を図により詳細に説明する。
図１は、本壁面緑化用プランターの概念図である。
本プランターは２つに分割され、壁側が土壌・保水材などを充填した保水部であり、保水部から外に突き出すように複数の育成部が設けられている。
保水部と育成部との隔壁には透孔が設けられ保水部からの水分が育成部に移動できるようになっている。保水部には導水配管が設けられ、必要に応じて水分及び肥料分が供給される。育成部の土壌では壁面を緑化する植物が育てられる。
【０００９】
図では育成部は複数保水部から突き出すように示されているが、保水部を覆うように設け、覆いに適宜孔を開け、植物の茎が出るようにしてもよい。
育成部の土壌は、畑土に限らず軽石などの多孔性のパーキュムライト、パーライト、木炭などの粒状物であってもよい。
【００１０】
壁面の固定する方法は壁面に渡したパイプに懸架させる方法あるいはボルト・ナットなどで固定してもよく、既存の方法が使用できる。
本プランターの材質は、ステンレススチールなどの金属製あるいはポリプロピレンなどの樹脂製が破損などによる落下の可能性を減ずるため好ましい。
【図面の簡単な説明】
【００１１】
【図１】本発明の壁面緑化用プランターの概念図である。
【図２】従来の壁面緑化の概念図である。
【符号の説明】
【００１２】
１  壁面緑化用プランター
２  保水部
３  育成部
４  導水配管
５  懸架用フック
【図１】
2009055794.tif 000003
【図２】
2009055794.tif 000004
(57)【要約】      （修正有）【課題】宇宙の無重力圏では、水力，火力，風力，原子力等の発電方法での発電は不可能である。動力源をモーターとしてモーターに入力したエネルギーよりも高いエネルギーを得る。【解決手段】発電機を動かす動力をモーター１とし接続部２を有し、発電機３を動かして発電する。発電機に高い回転数を与える等の対策を行い、モーターに入力したエネルギーよりも高いエネルギーを得る事が出来るようになされた。無重力圏用の発電機であるので、動力源にモーターを取り付けた事を特徴とする。【選択図】図１
2009055773.tif 000002
【特許請求の範囲】
【請求項１】
発電機を動かす動力をモーター（１）とし接続部（２）を有し発電機（３）を動かして発電するものである。
【発明の詳細な説明】
【発明の詳細な説明】
【技術分野】
【０００１】  この発明は無重力圏においての発電に関する物である。
【背景技術】
【０００２】  従来の発電方法は、水力，火力，風力，原子力などが有るが、地球上では発電できるが無重力圏では不可能である。
【発明が解決しようとする課題】
【０００３】  従来の地球上の発電方法では無重力圏での発電はほとんどが不可能であるので、動力にモーターを使い発電機に高い回転数を与える等の対策を行い、モーターに入力したエネルギーよりも高いエネルギーを得るためになされたものである。
【課題を解決するための手段】
【０００４】  発電機を動かす動力をモーター（１）とし接続部（２）を有し、発電機（３）を動かし発電する。無重力圏用発電機である。
本発明は、以上の構成よりなる発電機である。
【発明を実施するための最良の形態】
【０００５】  以下、本発明の実施の形態について説明する。
発電機を動かすためのモーター（１）を設ける。発電機とモーターを繋ぐ接続部（２）を設ける。発電機（３）を設ける。
本発明は以上のような構造で発電する。
【発明の効果】
【０００６】  水力，火力，風力，原子力発電で使用する酸素，水，風等が無くても、宇宙の無重力圏で発電する事が出来る。又、発電機にモーターより高い回転数を与える等の対策を行い、モーターに入力したエネルギーよりも高いエネルギーを得る事ができる。
【図面の簡単な説明】
【図１】  本発明の平面図である
【符号の説明】
（１）  モーター
（２）  接続部
（３）  発電機
【図１】
2009055773.tif 000003
(57)【要約】【課題】  全音域で優れた音質の音を再生することができるスピーカ装置を提供する。【解決手段】スピーカ振動板（１）に襞（２）を設け、傘状の構造にすることにより、スピーカ後方に発生する逆位相の音声を低減させたことを特徴とする。【選択図】図１
2009055577.tif 000002
【特許請求の範囲】
【請求項１】
傘状の構造を特徴とするスピーカー装置用振動板。
【請求項２】
請求項１に記載のスピーカー装置用振動板を備えることを特徴とするスピーカー装置。
【発明の詳細な説明】
【技術分野】
【０００１】本発明は傘状の構造を有するスピーカ振動板、及びスピーカ装置に関するものである。
【背景技術】
【０００２】従来のスピーカ振動板は、円錐状または平面状に形成されている。【０００３】また、従来のスピーカ装置はこれらの振動板を電磁石などで前後に振動させ、音声を再生する。
【発明の開示】
【発明が解決しようとする課題】
【０００４】従来のスピーカ装置は振動板の前後運動により音声を再生する。このためスピーカ後方に逆位相の音が発生し、スピーカ前方から発せられる正位相の音と打ち消し合うため、特に低音域の再生において音質が劣化する。【０００５】この音質の劣化を補う手段としてスピーカ装置をエンクロージャとよばれる筐体に入れ逆位相の音声を吸収したり、逆位相の音声を半位相分の時間遅延させて、ポートと呼ばれる穴から出力したりする方法がある。【０００６】しかし、スピーカ装置を筐体に入れる事により、振動板の動作に抵抗が生じて音声に歪みが発生する。【０００７】また、ポートから出力される音声は、特定の周波数においてのみ半位相分の遅延となるため、それ以外の周波数では歪みが発生する。【０００８】本発明はこのような課題を解決しようとするものであって、全音域で優れた音質の音を再生することができるスピーカ装置を得ることを目的とするものである。
【課題を解決するための手段】
【０００９】この課題を解決する為に、本発明は振動板（１）に折り目を設け襞（２）を形成、又はスピーカエッジの素材等で襞（２）を設ける事により、傘状にしたことを特徴とする。
【発明の効果】
【００１０】傘を開閉するように振動板を動かすことにより、振動板で囲まれた空間の容積が変化し空気が振動して音が発生する。【００１１】従来のスピーカ装置に比べ、スピーカ振動板後方への逆位相の音の発生が少なくなり、音質の劣化が軽減する。
【発明を実施するための最良の形態】
【００１２】以下、本発明の一実施形態を図面を参照して説明する。【００１３】スピーカ振動板（１）に襞（２）を設け複数の領域に分割し、振動板を図１のように傘状にする。【００１４】パンタグラフ構造を持つアクチュエータ（３）の屈伸部（５）の先端とスピーカ振動板（１）とを、骨（４）で接合する。【００１５】アクチュエータの２つの揺動部（６）に電磁石（７）を設け、電流を流すことにより揺動部（６）を接近／離間させる。屈伸部（５）が屈伸し、屈伸部（５）に接合された骨（４）を動かす。スピーカ振動板（１）の分割部分が同時に動作し、傘状のスピーカ振動板（１）が開閉する。【００１６】スピーカ振動板（１）で囲まれた空間の容積が変化し、空気が振動することにより、音声が再生される。
【図面の簡単な説明】
【００１７】
【図１】  本発明の一実施形態におけるスピーカ振動板の外観図。
【図２】  図１に示すスピーカ振動板を使用したスピーカ装置の側面図。
【図３】  本発明の一実施形態における、アクチュエータの外観図。
【符号の説明】
【００１８】１・・・スピーカ振動板
２・・・襞
３・・・アクチュエータ
４・・・骨
５・・・屈伸部
６・・・揺動部
７・・・電磁石
【図１】
2009055577.tif 000003
【図２】
2009055577.tif 000004
【図３】
2009055577.tif 000005
(57)【要約】【課題】従来の化粧品は動物の形態、芳香、植物の形としての物体から抽出して乾燥、遠心分離、蒸留などで化粧品を作っていました。最近は狂牛病、鳥インフルエンザなどの新事実が浮上して、より健康的なもの安全なものが求められております。【解決手段】人間は本来微生物の塊であります。微生物が作り出したものは吸収が早い特性を活用して、微生物同士が共存して織り成す醗酵で安定して安全で健康的なものを作り出します。焼酎の精製過程で焼酎の花と呼ばれる脂肪酸エステル、焼酎のモロミ中にある酵母エキスとこうじ菌が作る醗酵クエン酸と醗酵乳酸と必須アミノ酸があり、醗酵による糖化酵素と液化酵素の働きがあり、アルコールによる抗菌作用で菌には強く人や環境に優しい化粧品を製造することを特徴とする製造方法であります。【選択図】なし【特許請求の範囲】
【請求項１】
焼酎の製造過程で精製時期に出てくる焼酎の花と呼ばれる脂肪酸エステル、焼酎のモロミ中にある酵母エキスをプラスして、こうじ菌が造る醗酵クエン酸と醗酵乳酸と必須アミノ酸で、化粧品を製造することを特徴とする製造方法。
【発明の詳細な説明】
【技術分野】
【０００１】  本発明は、醗酵作用を活用して人や環境に優しい化粧品の製造方法に関する。
【背景技術】
【０００２】  従来の化粧品製造とは違い、複雑な微生物なかでも酵母とこうじ菌により醗酵したモロミを蒸留して得られた蒸留物から再度低温で遠心分離などの処置を施して得られたものを原料とすることにより、人間が持つ本来失はれた微生物の魂としての固体が吸収しやすい体に有益な物体として存在する。【０００３】
【非特許文献１】喜田川守貞著「守貞漫稿」
【非特許文献２】小泉武夫著「醗酵技術」
【０００４】  本来は、動物の形態、芳香、植物の形としての物体から抽出して乾燥、遠心分離、蒸留などで化粧品を作っていました。最近は狂牛病や鳥インフルエンザなどの新事実が浮上して、より健康的なもの安全なものが求められております。【０００５】  きらきら唇・パールの輝き・ダイヤの光などの光る化粧品は、１７世紀には太刀魚やニシンのうろこなど天然素材を使っていました。またマイカ・雲母やシリカ・珪素といった鉱物に超微粒子を酸化チタンでコーチィングしたものです。
【発明の開示】
【発明が解決しようとする課題】
【０００６】  人間は本来、微生物の塊であり、微生物が作り出したものは吸収が早い特性を活用して、また微生物同士が共存して織り成す醗酵で新しいものを作り出します。【０００７】  焼酎のモロミ中にある焼酎酵母エキスをプラスして、こうじ菌が造る麹酸としてのクエン酸と乳酸と必須アミノ酸が作用して、無添加でありながら保水力の高いものが出来ます。【０００８】  紫外線が気になる季節、健やかでみずみずしい肌を保つために女性には要チェックの化粧品です。特に酵母エキス、こうじ菌は日本人の宝であり、外国にはないものです。この発明は日本人だけが解決できる発見であり、発明です。
【課題を解決するための手段】
【０００９】  焼酎の花と酵母エキスとともに、特にこうじ菌の特徴は、江戸時代に遡ります。江戸時代は夏の飲み物として夏ばて防止と栄養補給の為に、こうじ菌によるあま酒が出来ますし、飲んでいました。あま酒は、麹酸を多く含んでいて活性酸素を防ぐ効果が顕著で動脈硬化やがんの予防、老化を防ぎ、整腸作用や肝機能の強化に貢献するようです。【００１０】  こうじ菌が繁殖する時にビタミンＢ１、ビタミンＢ２，ビタミンＢ６，パントテン酸、イノシトール、ビチオンなどすべての天然型吸収ビタミン群がこうじ菌に蓄積されます。【００１１】  米の表面はタンパク質が多くそこにこうじ菌が増殖すると、タンパク質分解酵素を出して分解し、必須アミノ酸や一般のアミノ酸に変えてしまい総合ビタミンの領域であります。これを現在の領域に置き換えると病院で行う点滴による栄養剤の補給と同じ効果があります。
これらのことから口紅・ファンデーションなどは、より健康で安全なものが化粧品に求められ、これこそが本発明の手段であり特徴です。
【発明の効果】
【００１２】  今までにない特徴として焼酎の花に含まれる脂肪酸エステルが作用して微生物が作り上げたものは人間にはすぐ吸収されて、酵母とこうじ菌による糖化酵素と液化酵素とが織り成すモロミの中のブドウ糖・グリコース・ピルビン酸などの醗酵によるものが複雑に作用し、アルコールによる抗菌作用もあってすぐに効果が現れます。人間も皮膚呼吸することが知られておりますからより安全です。なぜならば、人間は微生物の塊であり微生物同士が互いに共存するからです。【００１３】  江戸時代の人たちは真夏に、こうじ菌でできたあま酒を飲んでいました。当時最も死亡率が高かった季節は夏です。夏になるとあま酒屋が多く町に出て売り歩く絵があります。俳句の季語を調べるとあま酒は今でも夏の季語です。この死亡率の高い夏に夏ばて防止の栄養ドリンク剤として飲んでいました。【００１４】  本発明の化粧品は、唇につけた口紅が体内に入っても安全です。従来の化粧品の多くが自然界に存在する植物や動物の合成で化学的にまた物理学的に製造していました。最近は鳥インフルエンザ、狂牛病などの発生により動物性の化粧品は問題があり敬遠されております。【００１５】  本発明は今までに存在しないものまた日本独自の風土でしか出来ないものであり、微生物が醸す化粧品の安全性は安定した、安全で、純粋な化粧品です。
【発明を実施するための最良の形態】
【００１６】  固体状と液体状の二種類の検体を製造します。また冷蔵して使用することにより今までにない使用感が存在します。
【実施例】
【００１７】  古来から薬がない時代に冬の寒波で耳たぶにしもやけが出来た時、また唇が乾燥してひび割れが起こった時などに焼酎の花が使われておりました。【００１８】  こうじ菌が作り出すクエン酸と乳酸そして必須アミノ酸が人の体内に口からはいることにより活力が出ることに因み、皮膚から体内に取り込み皮膚自体の活力ができます。丁度酒を製造する蔵人の手の平がすべすべとなるように皮膚が滑らかになります。【００１９】  また角質をケアしながら汚れをすっきり取り除き、滑らかで透明感のある肌に仕上げ肌本体の潤いを健やかに保ち弾むような活き活きとした肌に導きます。【００２０】  西洋医学では古来より南蛮医学としてアルコールによる消毒があります。東洋医学では空気と患部を遮断し、より純粋な不純物がないものとして乳飲み子の糞を漢方薬として使っていました。焼酎の花は温度変化による冬の激寒のとき、固体として焼酎の中から出てきますから極めて強いアルコールとしての抗菌作用があります。
【産業上の利用可能性】
【００２１】  醗酵技術を通じて、自然界に存在しないものを人の目には肉眼では見えない微生物の力により、微生物が全く異なる性質を複合的に組み合わせることにより自然界には存在しないものを作り出し、また温度の変化を活用しながら更なる自然界に存在しない第三の物体を安全に安定的に季節にとらわれることなく製造できます。